(57)【要約】      （修正有）【課題】ドライ且つ爽快な気分を与える装置を提供する。【解決手段】容器１と、ドライ且つ爽快な気分を与えるユニット２と、を含み、ユニット２は、容器１に収納され、少なくとも、相互に混合された多数のタルク構造体２１や多数の脱臭構造体２２及び多数の殺菌構造体２３の粉末物を含む。容器１の収納空間に、圧縮ガスが充填され、圧縮ガスが、タルク構造体２１、脱臭構造体２２及び殺菌構造体２３と、相互に混合され、ノズル１１を押すことにより、同時に、圧縮ガスと、タルク構造体２１、脱臭構造体２２及び殺菌構造体２３と、が出される。【選択図】図１
0003230464.tif 000002
【実用新案登録請求の範囲】
【請求項１】
容器と、
当該容器に収納されるドライ且つ爽快な気分を与えるユニットと、が含まれ、
当該ドライ且つ爽快な気分を与えるユニットは、少なくとも、粉末状である多数のタルク構造体、脱臭構造体及び殺菌構造体が、相互に混合されたものである
ことを特徴とするドライ且つ爽快な気分を与える装置。
【請求項２】
当該容器の一端に、ノズルが設けられ、また、当該容器に、圧縮ガスが充填され、当該圧縮ガスが、前記タルク構造体、前記脱臭構造体及び前記殺菌構造体と、相互に混合され、当該ノズルを押すことにより、同時に、当該圧縮ガスと、前記タルク構造体、前記脱臭構造体及び前記殺菌構造体と、が出される
ことを特徴とする請求項１に記載される、ドライ且つ爽快な気分を与える装置。
【請求項３】
当該容器の一端に、ノズルが設けられ、また、当該ノズルに、前記容器に接続された延長管があり、当該ノズルを押すことにより、同時に、当該延長管を介して、当該ドライ且つ爽快な気分を与えるユニットから、当該圧縮ガスと、前記タルク構造体、前記脱臭構造体及び前記殺菌構造体と、が出される
ことを特徴とする請求項２に記載される、ドライ且つ爽快な気分を与える装置。
【請求項４】
当該容器の一端に、カバー本体が設けられ、当該カバー本体によって、当該容器と、当該容器に収納された前記タルク構造体、前記脱臭構造体及び前記殺菌構造体が封鎖される、
ことを特徴とする請求項１に記載される、ドライ且つ爽快な気分を与える装置。
【請求項５】
当該ドライ且つ爽快な気分を与えるユニットには、前記タルク構造体の含有量が、1%以上で、前記脱臭構造体の含有量が、0.02%以上、50%以下であり、前記殺菌構造体の含有量が、0.01%以上、50%以下である粉末が含まれる
ことを特徴とする請求項１に記載される、ドライ且つ爽快な気分を与える装置。
【請求項６】
前記タルク構造体は、コーンスターチ、漢方薬粉末、ケイ酸マグネシウム誘導体、マグネシウムを有するケイ酸塩類或いは炭酸塩類の誘導体である、ことを特徴とする請求項１に記載される、ドライ且つ爽快な気分を与える装置。
【請求項７】
前記脱臭構造体は、銀イオン、銀粒子、茶樹、銅イオン、銅粒子、亜鉛イオン、亜鉛粒子、金箔、塩素、塩素誘導体、水素、水素誘導体、シアン、シアン誘起、フッ素或いは臭素誘導体である、ことを特徴とする請求項１に記載される、ドライ且つ爽快な気分を与える装置。
【請求項８】
前記殺菌構造体は、香料、精油、銀粒子、銀イオン、銅イオン、銅粒子、プラチナ、プラチナ誘導体、塩素、塩素誘導体、水素、水素誘導体、シアン或いはシアン誘導体である、ことを特徴とする請求項１に記載される、ドライ且つ爽快な気分を与える装置。
【考案の詳細な説明】
【技術分野】
【０００１】
本考案は、ドライ且つ爽快な気分を与える装置に関し、特に、人の肌やラブアイテム或いは消毒脱臭の生活用品に対して、爽快やドライ、消毒、脱臭及び殺菌の効果を与える、ドライ且つ爽快な気分を与える装置。
【背景技術】
【０００２】
一般として、女性の陰部は、湿気のため、細菌が発生し、日常生活に影響を与えるだけでなく、婦人病になる。
【０００３】
また、一般として、ラブアイテムを使用終了後、洗浄や消毒及ドライ等のステップを行うことが必要であるから、ラブアイテムの使用後のメンテナンスが、不便になる。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の主な目的は、ドライ且つ爽快な気分を与えるユニットの容器から、粉末状のドライ且つ爽快な気分を与える物質を、それらの人の肌やラブアイテムに付着させて、タルク構造体や脱臭構造体及び殺菌構造体を利用して、人の肌やラブアイテム或いは消毒脱臭を必要とする生活用品に対して、爽快やドライ、消毒、脱臭及び殺菌の効果が実現される、ドライ且つ爽快な気分を与える装置を提供する。
【課題を解決するための手段】
【０００６】
本考案は、上記の目的を達成するためのドライ且つ爽快な気分を与える装置であり、容器と、ドライ且つ爽快な気分を与えるユニットとが、含まれる。当該ドライ且つ爽快な気分を与えるユニットが、当該容器に設けられ、当該ドライ且つ爽快な気分を与えるユニットに、少なくとも、粉末状である多数のタルク構造体や多数の脱臭構造体及び多数の殺菌構造体が相互に混合された。
【０００７】
上記のドライ且つ爽快な気分を与える装置は、当該容器の一端に、ノズルが設けられ、また、当該容器に、圧縮ガスが充填され、当該圧縮ガスが、それらのタルク構造体やそれらの脱臭構造体及びそれらの殺菌構造体とが相互に混合され、当該ノズルを押すことにより、同時に、当該圧縮ガスと、それらのタルク構造体やそれらの脱臭構造体及びそれらの殺菌構造体と、が輸出される。
【０００８】
上記のドライ且つ爽快な気分を与える装置は、当該容器の一端に、ノズルが設けられ、当該ノズルの、容器に接続された延長管があり、当該ノズルを押すことにより、同時に、当該延長管を介して、当該ドライ且つ爽快な気分を与えるユニットから粉末物が輸出される。
【０００９】
上記のドライ且つ爽快な気分を与える装置は、当該容器の一端に、カバー本体が設けられ、当該カバー本体によって、当該容器と、当該容器に収納されたそれらのタルク構造体やそれらの脱臭構造体及びそれらの殺菌構造体が封鎖される。
【００１０】
上記のドライ且つ爽快な気分を与える装置は、当該粉末状のドライ且つ爽快な気分を与える、それらのタルク構造体の含有量が、1% 以上で、それらの粉末状の脱臭構造体の含有量が、0.02% 以上、50% 以下であり、それらの粉末状の殺菌構造体の含有量が、0.01% 以上、50% 以下である。
【００１１】
上記のドライ且つ爽快な気分を与える装置は、それらのタルク構造体が、コーンスターチや漢方薬粉末、ケイ酸マグネシウム誘導体、マグネシウムを有するケイ酸塩類或いは炭酸塩類の誘導体である。
【００１２】
上記のドライ且つ爽快な気分を与える装置は、それらの脱臭構造体が、銀イオンや銀粒子、茶樹、銅イオン、銅粒子、亜鉛イオン、亜鉛粒子、金箔、塩素、塩素誘導体、水素、水素誘導体、シアン、シアン誘起、フッ素或いは或臭素誘導体である。
【００１３】
上記のドライ且つ爽快な気分を与える装置は、それらの殺菌構造体が、香料や精油、銀粒子、銀イオン、銅イオン、銅粒子、プラチナ、プラチナ誘導体、塩素、塩素の誘導体、水素、水素の誘導体、シアン或いはシアンの誘導体である。
【００１４】
以下、図面を参照しながら、本考案の特徴や技術内容について、詳しく説明するが、それらの図面等は、参考や説明のためであり、本考案は、それによって制限されることが無い。
【考案を実施するための形態】
【００１５】
図１及図２は、それぞれ、本考案の分解概念図と本考案の断面状態概念図である。図のように、本考案に係るドライ且つ爽快な気分を与える装置は、容器１と、ドライ且つ爽快な気分を与えるユニット２とから、構成される。
【００１６】
当該ドライ且つ爽快な気分を与えるユニット２が、当該容器１に設けられ、当該ドライ且つ爽快な気分を与えるユニット２は、少なくとも、相互に混合された多数のタルク構造体２１や多数の脱臭構造体２２及び多数の殺菌構造体２３が含まれ、その中、当該ドライ且つ爽快な気分を与えるユニット２には、それらのタルク構造体２１の含有量が1% 以上で、それらの脱臭構造体２２の含有量が0.02% 以上、50% 以下であり、それらの殺菌構造体２３の含有量が0.01% 以上、50% 以下である粉末が収納される。
【００１７】
本考案によれば、使用者は、当該ドライ且つ爽快な気分を与えるユニット２の粉末状であるそれらのタルク構造体２１やそれらの脱臭構造体２２及びそれらの殺菌構造体２３を、同時に、当該容器１から輸出することにより、それらのタルク構造体２１やそれらの脱臭構造体２２及びそれらの殺菌構造体２３を、同時に人の肌（例えば、女性陰部）や消毒脱臭を必要とする生活用品に付着させ、それらのタルク構造体２１によって、爽快やドライの効果が得られ、また、それらの脱臭構造体２２によって、消毒や脱臭の効果が得られ、そして、それらの殺菌構造体２３によって、消毒や脱臭及び殺菌の効果が得られる。これにより、人の肌に、爽快やドライ、消毒、脱臭及び殺菌の効果が得られる。
【００１８】
また、ラブアイテムや消毒脱臭を必要とする生活用品に適用される時、ラブアイテムを例とすると、使用後のラブアイテムを洗浄してから、当該ドライ且つ爽快な気分を与えるユニット２を利用して、同時に、当該容器１から、それらのタルク構造体２１やそれらの脱臭構造体２２及びそれらの殺菌構造体２３を輸出して、それらのタルク構造体２１やそれらの脱臭構造体２２及びそれらの殺菌構造体２３を、同時に、ラブアイテムに付着させ、これにより、それらのタルク構造体２１を利用して、爽快やドライの効果が実現され、また、それらの脱臭構造体２２を利用して、消毒や脱臭の効果が実現され、そして、それらの殺菌構造体２３を利用して、消毒や脱臭及び殺菌の効果が実現される。そのため、ラブアイテムや消毒脱臭を必要とする生活用品に対して、爽快やドライ、消毒、脱臭及び殺菌の効果が実現される。
【００１９】
また、本考案によれば、使用者は、当該ドライ且つ爽快な気分を与えるユニット２の粉末状であるそれらのタルク構造体２１やそれらの脱臭構造体２２及びそれらの殺菌構造体２３を、同時に、当該容器１から輸出することにより、それらのタルク構造体２１やそれらの脱臭構造体２２及びそれらの殺菌構造体２３を、同時に衣物や靴に付着させ、同じように、それらのタルク構造体２１によって、爽快やドライの効果が得られ、また、それらの脱臭構造体２２によって、消毒や脱臭の効果が得られ、そして、それらの殺菌構造体２３によって、消毒や脱臭及び殺菌の効果が得られる。これにより、ラブアイテムや消毒脱臭を必要とする生活用品に、爽快やドライ、消毒、脱臭及び殺菌の効果が得られる。
【００２０】
本考案のより良い具体実施例によれば、当該容器１の一端に、ノズル１１が設けられ、当該容器１に、圧縮ガス１２が充填され、当該圧縮ガス１２が、それらのタルク構造体２１やそれらの脱臭構造体２２及びそれらの殺菌構造体２３とが、相互に混合される。使用する時、当該ノズル１１を押すことにより、同時に、当該ノズル１１から、当該圧縮ガス１２と、それらのタルク構造体２１やそれらの脱臭構造体２２及びそれらの殺菌構造体２３と、が輸出され、それらのタルク構造体２１やそれらの脱臭構造体２２及びそれらの殺菌構造体２３が、人の肌やラブアイテムに付着し、そのため、それらのタルク構造体２１によって、爽快やドライの効果が実現され、また、それらの脱臭構造体２２によって、消毒や脱臭の効果が実現され、そして、それらの殺菌構造体２３によって、消毒や脱臭及び殺菌の効果が実現される。上記のように、人の肌やラブアイテム或いは消毒脱臭を必要とする生活用品に対して、爽快やドライ、消毒、脱臭及び殺菌の効果が得られる。
【００２１】
また、当該容器１は、一端に、カバー本体が設けられ、当該カバー本体によって、当該容器１と、当該容器１に収納されたそれらのタルク構造体２１やそれらの脱臭構造体２２及びそれらの殺菌構造体２３（図に未表示）と、が封鎖される。これにより、当該カバー本体を開くと、当該容器１から、一気に、当該圧縮ガス１２と、それらのタルク構造体２１やそれらの脱臭構造体２２及びそれらの殺菌構造体２３とを、外へ出すことができ、これにより、それらのタルク構造体２１やそれらの脱臭構造体２２及びそれらの殺菌構造体２３を、同時に、人の肌やラブアイテム或いは消毒脱臭を必要とする生活用品に付着させ、そして、それらのタルク構造体２１によって、爽快やドライの効果が得られ、また、それらの脱臭構造体２２によって、消毒や脱臭の効果が得られ、そして、それらの殺菌構造体２３によって、消毒や脱臭及び殺菌の効果が得られる。これにより、人の肌やラブアイテム或いは消毒脱臭を必要とする生活用品に、爽快やドライ、消毒、脱臭及び殺菌の効果が得られる。
【００２２】
本考案のより良い具体実施例によれば、それらのタルク構造体２１は、コーンスターチや漢方薬粉末、ケイ酸マグネシウム誘導体、マグネシウムを有するケイ酸塩類或いは炭酸塩類の誘導体である。これにより、それらのタルク構造体２１によって、爽快やドライの効果が実現される。
【００２３】
本考案のより良い具体実施例によれば、それらの脱臭構造体２２は、銀イオンや銀粒子、茶樹、銅イオン、銅粒子、亜鉛イオン、亜鉛粒子、金箔、塩素、塩素誘導体、水素、水素誘導体、シアン、シアン誘起、フッ素或いは臭素誘導体、又は、他の脱臭可能の構造体である。これにより、それらの脱臭構造体２２によって、消毒や脱臭の効果が実現される。
【００２４】
本考案のより良い具体実施例によれば、それらの殺菌構造体２３は、香料や精油（例えば、茶樹精油）、銀粒子、銀イオン、銅イオン、銅粒子、プラチナ、プラチナ誘導体、塩素、塩素の誘導体、水素、水素の誘導体、シアン或いはシアンの誘導体である。これにより、それらの殺菌構造体２３によって、消毒や脱臭及び殺菌の効果が実現される。
【００２５】
図３は、本考案に係るもう一つの実施例の外観概念図である。図のように、当該容器１の一端に、ノズル１１があり、また、当該ノズル１１に、容器１に接続された延長管１３が設けられ、当該ノズル１１を押すと、当該延長管１３を介して、当該ドライ且つ爽快な気分を与えるユニット２から粉末が輸出され、これにより、同じように、粉末物が、当該ドライ且つ爽快な気分を与えるユニット２の当該容器１から輸出され、そのため、当該粉末物が、当該ドライ且つ爽快な気分を与えるユニット２から、人の肌やラブアイテム或いは消毒脱臭を必要とする生活用品に付着して、爽快やドライ、消毒、脱臭及び殺菌の効果が実現される。
【００２６】
以上のように、本考案に係るドライ且つ爽快な気分を与える装置は、有効的に従来の諸欠点を解消でき、ドライ且つ爽快な気分を与えるユニットは、容器から粉末物を輸出して、ドライ且つ爽快な気分を与える粉末物を、人の肌やラブアイテムに付着させ、タルク構造体や脱臭構造体及び殺菌構造体を利用して、人の肌やラブアイテム或いは消毒脱臭を必要とする生活用品に、爽快やドライ、消毒、脱臭及び殺菌の効果を与え、そのため、本考案は、より進歩的かつより実用的で、法に従って実用新案登録請求を出願する。
【００２７】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２８】
【図１】本考案の分解概念図である。
【図２】本考案の断面状態概念図である。
【図３】本考案に係るもう一つの実施例の外観概念図である。
【符号の説明】
【００２９】
１  容器
１１  ノズル
１２  圧縮ガス
１３  延長管
２  ドライ且つ爽快な気分を与えるユニット
２１  タルク構造体
２２  脱臭構造体
２３  殺菌構造体
【図１】
0003230464.tif 000003
【図２】
0003230464.tif 000004
【図３】
0003230464.tif 000005
【手続補正書】
【提出日】令和2年11月13日(2020.11.13)
【手続補正１】
【補正対象書類名】実用新案登録請求の範囲
【補正対象項目名】全文
【補正方法】変更
【補正の内容】
【実用新案登録請求の範囲】
【請求項１】
一端が開口した有底筒の内部に収納空間を有し、かつ、前記開口に連通するとともに前記開口を開閉可能に閉塞するノズル（１１）を有する容器（１）と、
前記容器（１）の前記収納空間に収納されるドライ且つ爽快な気分を与えるユニット（２）と、を備え、
前記ドライ且つ爽快な気分を与えるユニット（２）は、少なくとも、粉末状である多数のタルク構造体（２１）、脱臭構造体（２２）及び殺菌構造体（２３）が、相互に混合されたものである
ことを特徴とするドライ且つ爽快な気分を与える装置。
【請求項２】
請求項１に記載のドライ且つ爽快な気分を与える装置において、
さらに、前記容器（１）の前記収納空間に、圧縮ガス（１２）が充填され、
前記圧縮ガス（１２）が、前記タルク構造体（２１）、前記脱臭構造体（２２）及び前記殺菌構造体（２３）と、相互に混合され、
前記ノズル（１１）を押すことにより、同時に、当該圧縮ガス（１２）と、前記タルク構造体（２１）、前記脱臭構造体（２２）及び前記殺菌構造体（２３）と、が出される
ことを特徴とするドライ且つ爽快な気分を与える装置。
【請求項３】
請求項２に記載のドライ且つ爽快な気分を与える装置において、
前記容器（１）は、さらに、前記ノズル（１１）に連通し、かつ、前記収納空間の内部に延在する延長管（１３）を有し、
当該ノズル（１１）を押すことにより、同時に、当該延長管（１３）を介して、当該ドライ且つ爽快な気分を与えるユニット（２）から、当該圧縮ガス（１２）と、前記タルク構造体（２１）、前記脱臭構造体（２２）及び前記殺菌構造体（２３）と、が出される
ことを特徴とするドライ且つ爽快な気分を与える装置。
【請求項４】
一端が開口した有底筒の内部に収納空間を有し、かつ、前記開口を開閉可能に閉塞するカバー本体を有する容器（１）と、
前記容器（１）の前記収納空間に収納されるドライ且つ爽快な気分を与えるユニット（２）と、を備え、
前記ドライ且つ爽快な気分を与えるユニット（２）は、少なくとも、粉末状である多数のタルク構造体（２１）、脱臭構造体（２２）及び殺菌構造体（２３）が、相互に混合されたものであり、
さらに、前記容器（１）の前記収納空間に、圧縮ガス（１２）が充填され、
前記カバー本体を開くと、同時に、当該圧縮ガス（１２）と、前記タルク構造体（２１）、前記脱臭構造体（２２）及び前記殺菌構造体（２３）と、が出される
ことを特徴とするドライ且つ爽快な気分を与える装置。
【請求項５】
請求項１から請求項４のいずれかに記載のドライ且つ爽快な気分を与える装置において、
当該ドライ且つ爽快な気分を与えるユニット（２）には、前記タルク構造体（２１）の含有量が、１％以上で、前記脱臭構造体（２２）の含有量が、０．０２％以上、５０％以下であり、前記殺菌構造体（２３）の含有量が、０．０１％以上、５０％以下である粉末が含まれる
ことを特徴とするドライ且つ爽快な気分を与える装置。
【請求項６】
請求項１から請求項５のいずれかに記載のドライ且つ爽快な気分を与える装置において、
前記タルク構造体（２１）は、コーンスターチ、漢方薬粉末、ケイ酸マグネシウム誘導体、マグネシウムを有するケイ酸塩類或いは炭酸塩類の誘導体である、
ことを特徴とするドライ且つ爽快な気分を与える装置。
【請求項７】
請求項１から請求項６のいずれかに記載のドライ且つ爽快な気分を与える装置において、
前記脱臭構造体（２２）は、銀イオン、銀粒子、茶樹、銅イオン、銅粒子、亜鉛イオン、亜鉛粒子、金箔、塩素、塩素誘導体、水素、水素誘導体、シアン、シアン誘起、フッ素或いは臭素誘導体である、
ことを特徴とするドライ且つ爽快な気分を与える装置。
【請求項８】
請求項１から請求項７のいずれかに記載のドライ且つ爽快な気分を与える装置において、
前記殺菌構造体（２３）は、香料、精油、銀粒子、銀イオン、銅イオン、銅粒子、プラチナ、プラチナ誘導体、塩素、塩素誘導体、水素、水素誘導体、シアン或いはシアン誘導体である、
ことを特徴とするドライ且つ爽快な気分を与える装置。